(57)【要約】【課題】ハーネスが擦過することによるプラテンガラスの汚れや傷の発生を防止するか、あるいは、ハーネスによって傷や汚れが付いても読み取る画像には影響が出ないような画像読取装置を提供する。【解決手段】ハーネス７は、コントローラ５から手前側に延出し、９０°屈曲してハウジング１の右側へ延在する。ハーネス７の端部はキャリッジ３の下方を過ぎてから上方へ湾曲してループ７ａを形成し、左側へ延在した後に２回屈曲してキャリッジ３に搭載されたＣＣＤ３３に接続されている。プラテンガラス１０上に、レジスト板９によって読取範囲Ａを設定し、ハーネス７のループ７ａを、読取範囲Ａの外に設ける。【選択図】        図５
2004325719.tif 000002
【特許請求の範囲】
【請求項１】
フレームと、
このフレームの上面に設けられて原稿を載置され、該原稿の読取範囲が設定されたプラテンガラスと、
このプラテンガラスに沿って副走査方向に走行させられるキャリッジと、
前記フレームの一端部に設けられて、前記キャリッジと電気的に接続されて、制御信号や画像データ信号等の授受を行う電気回路とを備え、
前記キャリッジは、原稿上の画像を結像させるロッドレンズアレイと、このロッドレンズアレイで結像された画像を読み取る光電変換素子とを備え、
前記信号の授受を行うハーネスが前記キャリッジと前記電気回路とに接続された画像読取装置において、
前記ハーネスは、前記電気回路から延出して前記フレームの底部に沿って他端側へ延在し、かつ、上方へ向けループを描くようにして前記キャリッジに接続され、
前記ループを描いたハーネスは、前記プラテンガラスの前記読取範囲外に設けられていることを特徴とする画像読取装置。
【請求項２】
フレームと、
このフレームの上面に設けられて原稿を載置され、該原稿の読取範囲が設定されたプラテンガラスと、
このプラテンガラスに沿って副走査方向に走行させられるキャリッジと、
このキャリッジを牽引して走行させるワイヤと、
前記フレームの一端部に設けられて、前記キャリッジと電気的に接続されて、制御信号や画像データ信号等の授受を行う電気回路とを備え、
前記キャリッジは、原稿上の画像を結像させるロッドレンズアレイと、このロッドレンズアレイで結像された画像を読み取る光電変換素子とを備え、
前記信号の授受を行うハーネスが前記キャリッジと前記電気回路とに接続された画像読取装置において、
前記ハーネスは、前記電気回路から延出して前記フレームの底部に沿って他端側へ延在し、かつ、上方へ向けループを描くようにして前記キャリッジに接続され、
前記ループを描いたハーネスは、前記ワイヤの直下に配置されていることを特徴とする画像読取装置。
【発明の詳細な説明】
【０００１】
【発明の属する技術分野】
本発明は、キャリッジに搭載された光学ユニットを原稿と相対的に移動させ、原稿を走査して画像データを得る画像読取装置に係り、特に、キャリッジに接続されるハーネスが接触して生じるプラテンガラスの傷や汚れによって画像に影響が生じることを防ぐ技術に関する。
【０００２】
【従来の技術】
複写機等に設けられる画像読取装置としては、ランプを搭載したキャリッジをプラテンガラスに置かれた原稿に沿って移動させ、ランプの光を照射した原稿の像を、レンズを介してＣＣＤ等の受光素子に導く構成が一般的である。このような画像読取装置のキャリッジには、通常、制御信号や画像データ信号等をハウジングに固定された電気回路との間で授受させるフレキシブルなハーネスが接続されている。このハーネスは、ハウジング底部にキャリッジの移動方向に延在して配され、一端部が電気回路に、他端部が上方に向けループを描くようにしてキャリッジに接続されている。キャリッジの移動に伴ってハーネスはループの曲率半径が変化し、キャリッジの移動を拘束しないように設けられている。
【０００３】
ところで、このようなハーネスにおいては、キャリッジの移動中にループの径が大きくなった場合に、原稿を載置する上方のプラテンガラスの下面に接触して擦れ傷や汚れ等が付き、読み取る画像に影響を与えることが懸念される。下記の特許文献１には、ループの曲がり癖が歪みとして残ると、その歪みによる変形がループの径の増大を招き、プラテンガラスに接触しやすくなるとされている。同文献にはこの課題を解決するために、ループの径がほぼ最大となる位置でキャリッジを停止させ、これによって、長期放置されてもループが変形しにくくなり、結果としてプラテンガラスへの接触を防ぐといった手段が記載されている。
【０００４】
【特許文献１】
特許第３３４７３４８号公報（段落「０００７」、「００２１」等）
【０００５】
【発明が解決しようとする課題】
上記特許文献１に記載の手段では、ハーネスにおけるほぼ最大径のループをプラテンガラスの下面に接触させないように設定する必要が生じ、このため、ハウジングの高さが増大して装置のコンパクト化を図りづらいという欠点がある。また、ループがほぼ最大径の状態で停止状態を保持させる制御も必要であるから、制御系の構成の複雑化を招く。
【０００６】
したがって本発明は、簡素な構成で、かつコンパクト化を可能としながら、ハーネスが擦過することによるプラテンガラスの汚れや傷の発生を防止するか、あるいは、傷や汚れが付いても読み取る画像には影響が出ないような画像読取装置を提供することを目的としている。
【０００７】
【課題を解決するための手段】
本発明の画像読取装置は、フレームと、このフレームの上面に設けられて原稿を載置され、該原稿の読取範囲が設定されたプラテンガラスと、このプラテンガラスに沿って副走査方向に走行させられるキャリッジと、フレームの一端部に設けられて、キャリッジと電気的に接続されて、制御信号や画像データ信号等の授受を行う電気回路とを備え、キャリッジは、原稿上の画像を結像させるロッドレンズアレイと、このロッドレンズアレイで結像された画像を読み取る光電変換素子とを備え、信号の授受を行うハーネスがキャリッジと電気回路とに接続された画像読取装置において、ハーネスは、電気回路から延出してフレームの底部に沿って他端側へ延在し、かつ、上方へ向けループを描くようにしてキャリッジに接続され、ループを描いたハーネスは、プラテンガラスの読取範囲外に設けられていることを特徴としている。
【０００８】
上記構成によれば、ハーネスのループを描く部分がプラテンガラスの読取範囲外に設けられているので、キャリッジの移動に伴ってループがプラテンガラスに接触して摺接し、これによってプラテンガラスに傷や汚れが付いても、読み取る画像はそれら傷や汚れの影響を全く受けず品質が保持される。ハーネスをプラテンガラスの読取範囲外に設ければ良いので、画像の品質が保持される効果を簡素な構成で得ることができる。また、ハーネスのループはプラテンガラスに接触してもかまわないので、フレームの高さを高くする必要がなく、このため、装置のコンパクト化も可能である。
【０００９】
また、本発明の画像読取装置は、フレームと、フレームの上面に設けられて原稿を載置され、該原稿の読取範囲が設定されたプラテンガラスと、プラテンガラスに沿って副走査方向に走行させられるキャリッジと、このキャリッジを牽引して走行させるワイヤと、フレームの一端部に設けられて、キャリッジと電気的に接続されて、制御信号や画像データ信号等の授受を行う電気回路とを備え、キャリッジは、原稿上の画像を結像させるロッドレンズアレイと、このロッドレンズアレイで結像された画像を読み取る光電変換素子とを備え、信号の授受を行うハーネスがキャリッジと電気回路とに接続された画像読取装置において、ハーネスは、電気回路から延出してフレームの底部に沿って他端側へ延在し、かつ、上方へ向けループを描くようにしてキャリッジに接続され、ループを描いたハーネスは、ワイヤの直下に配置されていることを特徴としている。
【００１０】
上記構成によれば、キャリッジの移動に伴いハーネスのループが拡大しても、ループはワイヤに当接し、それ以上の拡大がワイヤにより押さえられる。したがって、ハーネスの摺接によるプラテンガラスの損傷や汚れが未然に防止される。ハーネスを既存のワイヤの直下に配置すれば良いので、プラテンガラスに傷や汚れが付かない効果を簡素な構成で得ることができる。また、ハーネスのループをワイヤで強制的に押さえる作用を得るので、ループがプラテンガラスに接触しないようにフレームの高さを高くする必要がなく、このため、装置のコンパクト化も可能である。
【００１１】
【発明の実施の形態】
以下、図面を参照して本発明の一実施形態を説明する。
１．実施形態の構成
図１は一実施形態の画像読取装置を示す平面図、図２は図１のＩＩ−ＩＩ線矢視断面図、図３は図１のＩＩＩ−ＩＩＩ線矢視断面図であり、この画像読取装置は、例えば複写機やファクシミリなどに適用されている。これら図において符号１は画像読取装置の外殻を構成するハウジング（フレーム）である。ハウジング１は矩形の箱状体であり、開放されたその上面には、原稿を載置するプラテンガラス１０が取り付けられている。ハウジング１の底面には、図において左右方向（副走査方向）に延在する一対のレール１３が互いに平行に取り付けられている。レール１３には、キャリッジ３が長手方向に摺動自在に支持されている。キャリッジ３には、上方に突出する複数のボタン３０，３１が取り付けられている。ボタン３０，３１は摩擦係数の小さなプラスチック等の合成樹脂から構成され、その上端部は、プラテンガラス１０との摩擦抵抗を低減するためにほぼ球面状とされている。
【００１２】
キャリッジ３の上面には、光軸を上下方向へ向けたロッドレンズアレイ（セルフォックレンズ）３２が取り付けられ、ロッドレンズアレイ３２の下方には、ロッドレンズアレイ３２を通過した光が結像する受光部を有するＣＣＤ（光電変換素子）３３が配置されている。また、キャリッジ３には、斜め上方へ向けて光を照射するランプ３４が取り付けられている。さらに、キャリッジ３の下面には、レール１３と摺接するスライダ３５が取り付けられている。スライダ３５とキャリッジ３のフレームとの間には図示せぬ圧縮バネが介在しており、これによって、キャリッジ３は上方に付勢され、ボタン３０，３１の上端面がプラテンガラス１０の下面に押圧されている。このように構成されたキャリッジ３は、以下に説明する駆動機構４によってレール１３上を走行させられる。
【００１３】
図１に示すように、ハウジング１内の４隅には上下方向に延びるプーリ軸４０が固定されている。これらプーリ軸４０のうち、奥側（図１で上側）の２つのプーリ軸４０には、図３に示すように、第１従動プーリ４１ａと第２従動プーリ４２ａとが、この順で上下に同軸的に配され、回転自在に支持されている。つまり、これら第１従動プーリ４１ａと第２従動プーリ４２ａとは、プーリ軸４０を共有している。また、手前側（図１で下側）の２つのプーリ軸４０には、図２に示すように、第２従動プーリ４２ａのみが回転自在に支持されている。また、ハウジング１の奥側には、図１に示すように、ステッピングモータ等のモータ４３によって駆動する駆動プーリ４４が配設されている。
【００１４】
駆動プーリ４４には、第１ワイヤ４１ｂおよび第２ワイヤ４２ｂが、それぞれ複数回巻回されている。そして、第１ワイヤ４１ｂは２つの第１従動プーリ４１ａに掛け渡され、その両端部が、キャリッジ３の奥側の端面に係止されている。また、第２ワイヤ４２ｂは４つの第２従動プーリ４２ａに掛け渡され、その両端部が、キャリッジ３の手前側の端面に係止されている。
【００１５】
このような駆動機構４によれば、モータ４３によって駆動プーリ４４が駆動すると、第１ワイヤ４１ｂおよび第２ワイヤ４２ｂが作動してキャリッジ３の両端の係止部を一方向（例えば右方向）に推進させ、これによりキャリッジ３はレール１３に沿って同方向に走行し、モータ４３が逆回転すると、キャリッジ３は逆方向に走行する。
【００１６】
図１および図２において符号５は、コントローラ（電気回路）である。コントローラ５は、モータ４３の回転を制御して、キャリッジ３の位置や速度をプログラムにしたがって移動させるとともに、読取画像データを画像処理部へ転送する等の制御および処理を行うもので、ハウジング１の底部の左側の端部に固定されている。このコントローラ５には、制御信号や画像データ信号等の授受を行う平らな帯状のフレキシブルなハーネス７の一端部が接続されており、このハーネス７の他端部は、キャリッジ３に接続されている。
【００１７】
図４および図５に示すように、ハーネス７は、一端部がコントローラ５の手前側の側部に接続され、その接続部より手前側に短く延ばされてから、第１屈曲部７Ａで９０°折り曲げられ、キャリッジ３の移動方向に沿って右方向に延在している。そして、キャリッジ３の下方を過ぎてから上方へ湾曲してループ７ａを形成してコントローラ５側にＵターンし、キャリッジ３の近傍の第２屈曲部７Ｂで９０°奥側に折り曲げられ、さらに第３屈曲部７Ｃで９０°左側に折り曲げられて、他端部がキャリッジ３に保持されてＣＣＤ３３に接続されている。ハーネス７は、キャリッジ３の移動を拘束しない長さに設定されている。図１および図２はキャリッジ３が原点位置にある状態を示しており、図４および図５はキャリッジ３が最も左側に移動した状態を示している。
【００１８】
図６に示すように、プラテンガラス１０上には、キャリッジ３の移動に伴うロッドレンズアレイ３２の移動範囲に基づく原稿の読取範囲Ａ（図６で斜線部分）が、レジスト板９によって設定されている。原稿は、レジスト板９の右奥隅の直角な内角に合わせることにより、位置決めされる。
【００１９】
上記ハーネス７におけるキャリッジ３の移動方向に沿った部分、すなわち、右側にループ７ａが形成される第１屈曲部７Ａと第２屈曲部７Ｂとの間の部分は、図６に示すように、読取範囲外に延在しており、かつ、この部分は、手前側の２つの第２従動プーリ４２ａ間にわたる第２ワイヤ４２ｂの直下に配されている。
【００２０】
２．一実施形態の動作
次に、上記構成の画像読取装置の動作について説明する。
原稿を、プラテンガラス１０上に載置し、レジスト板９によって位置決めしてから、操作パネルのスタートボタンを押す。すると、モータ４３が回転し、キャリッジ３は図１および図２に示す原点位置から左側へ向けて走行する。そして、例えば図４および図５に示す位置までキャリッジ３が来て読み取りが終わると、モータ４３が逆回転し、キャリッジ３は原点位置に戻る。
【００２１】
キャリッジ３が左方向へ走行している間、ランプ３４が点灯してロッドレンズアレイ３２に原稿の像が入射し、ロッドレンズアレイ３２を通過した光はＣＣＤ３３の受光部で結像する。そして、ＣＣＤ３３は、受けた光に対応する画像データをコントローラ５に出力し、コントローラ５は、入力された画像データを画像処理部に転送する。
【００２２】
図２に示すように、キャリッジ３が原点位置にあってハーネス７のループ７ａが小さな状態から、画像を読み取るためにキャリッジ３が左方に移動していくと、ループ７ａは徐々に大きくなるが、図５に示すように、キャリッジ３が最も左まで移動しても、ループ７ａは第２ワイヤ４２ｂに当接して、第２ワイヤ４２ｂを越える高さになることがない。また、第２ワイヤ４２ｂとハーネス７とは同方向に同速度で移動するので、第２ワイヤ４２ｂとハーネス７とが擦れ合うことがなく、これによって第２ワイヤ４２ｂとハーネス７とが損傷を受けることもない。
【００２３】
上記実施形態によれば、ハーネス７のループ７ａを描く部分がプラテンガラス１０の読取範囲外に設けられているので、例えキャリッジ３の移動に伴ってループ７ａがプラテンガラス１０に接触して摺接し、これによってプラテンガラス１０に傷や汚れが付いても、読み取る画像はそれら傷や汚れの影響を全く受けず品質が保持される。本実施形態では、そのループ７ａが第２ワイヤ４２ｂに当接しているので、プラテンガラス１０へのハーネス７の接触が防止されている。その結果、ハーネス７の摺接によるプラテンガラス１０の損傷や汚れは未然に防止され、このことから、読み取る画像の品質保持がより確実になされる。また、読取範囲外にあるハーネス７のループ７ａはプラテンガラス１０に接触してもかまわないことに加え、ハーネス７のループ７ａを第２ワイヤ４２ｂで強制的に押さえるので、ハウジング１０の底部とプラテンガラス１０との間を高くする必要もなく、このため、装置のコンパクト化を図ることができる。
【００２４】
【発明の効果】
以上説明したように、本発明によれば、ハーネスのループを描く部分をプラテンガラスの読取範囲外に設けることにより、ループがプラテンガラスに摺接してプラテンガラスに傷や汚れが付いても、読み取る画像はそれら傷や汚れの影響を全く受けず品質が保持される。また、ハーネスのループをワイヤの直下に配置することにより、プラテンガラスに対するループの摺接がワイヤで防止され、その結果、プラテンガラスの損傷や汚れが未然に防止される。これらの効果を得るための構成は、ハーネスをプラテンガラスの読取範囲外に設けたり、ハーネスを既存のワイヤの直下に配置したりすれば良いので、簡素な構成で実現させることができる。
【図面の簡単な説明】
【図１】本発明の実施形態に係る画像読取装置の平面図である。
【図２】図１のＩＩ−ＩＩ線矢視断面図である。
【図３】図１のＩＩＩ−ＩＩＩ線矢視断面図である。
【図４】図１の状態からキャリッジが最も左へ位置した状態を示す平面図である。
【図５】図２の状態からキャリッジが最も左へ位置した状態を示す断面図である。
【図６】原稿の読取範囲を示す平面図である。
【符号の説明】
１…ハウジング（フレーム）、３…キャリッジ、
５…コントローラ（電気回路）、７…ハーネス、７ａ…ループ、
９…レジスト板、１０…プラテンガラス、３２…ロッドレンズアレイ、
３３…ＣＣＤ（光電変換素子）、４２ｂ…第２ワイヤ、Ａ…読取範囲。
【図１】
2004325719.tif 000003
【図２】
2004325719.tif 000004
【図３】
2004325719.tif 000005
【図４】
2004325719.tif 000006
【図５】
2004325719.tif 000007
【図６】
2004325719.tif 000008